(57)【要約】【課題】  スイッチング素子の制御構成が簡素な絶縁型の直流電源装置およびこの直流電源装置により光源としての発光ダイオードが点灯される照明器具を提供する。【解決手段】  直流電源装置１は、直流電源回路２と、絶縁トランスＴ２、スイッチング素子Ｑ１および整流平滑回路１２を有し、スイッチング素子Ｑ１のオンオフ動作により直流電源回路２の出力電圧を所望の直流電圧に変換して出力するＤＣ−ＤＣ変換回路３と、スイッチング素子Ｑ１の両端間電圧を検出する検出回路４と、スイッチング素子Ｑ１の両端間電圧に応じて、ＤＣ−ＤＣ変換回路３が所望の直流電圧を出力するようにスイッチング素子Ｑ１のオンオフ動作を制御する制御手段５とを具備している。【選択図】図１
2010110157.tif 000002
【特許請求の範囲】
【請求項１】
直流電源回路と；
絶縁トランス、この絶縁トランスの一次巻線側にスイッチング電流を流す少なくとも１個以上のスイッチング素子および前記絶縁トランスの二次巻線間に接続された整流平滑回路を有し、前記スイッチング素子のオンオフ動作により前記直流電源回路の出力電圧を所望の直流電圧に変換して前記整流平滑回路の出力間に出力するＤＣ−ＤＣ変換回路と；
このＤＣ−ＤＣ変換回路のスイッチング素子の両端間電圧またはスイッチング素子に流れるスイッチング電流を検出する検出回路と；
この検出回路が検出した前記両端間電圧または前記スイッチング電流に応じて、前記ＤＣ−ＤＣ変換回路が所望の直流電圧を出力するように前記スイッチング素子のオンオフ動作を制御する制御手段と；
を具備していることを特徴とする直流電源装置。
【請求項２】
制御手段は、前記スイッチング素子のオンオフ動作を制御する制御回路部と、前記検出回路が検出した前記スイッチング素子の両端間電圧または前記スイッチング素子に流れるスイッチング電流に応じて、前記制御回路部から電流を引き抜く電流引抜回路部または前記制御回路部に電流を供給する電流供給回路部とを有して構成され、前記制御回路部は、前記電流引抜回路部から引き抜かれた電流または前記電流供給回路部から供給された電流に応じて前記スイッチング素子を制御するとともに、前記スイッチング素子と集積回路にチップ形成されていることを特徴とする請求項１記載の直流電源装置。
【請求項３】
請求項１または２記載の直流電源装置と；
この直流電源装置の整流平滑回路の出力間に接続された発光ダイオードと；
この発光ダイオードを配設している器具本体と；
を具備していることを特徴とする照明器具。
【発明の詳細な説明】
【技術分野】
【０００１】
本発明は、出力電圧または出力電流が制御される直流電源装置およびこの直流電源装置によって発光ダイオードが点灯される照明器具に関する。
【背景技術】
【０００２】
この種の直流電源装置には、絶縁トランスおよびこの絶縁トランスの一次巻線に直列的に接続されたスイッチング素子を有し、スイッチング素子のオンオフ動作に応じて絶縁トランスの二次巻線の両端間に発生した高周波交流電圧を整流平滑して所定の直流を出力しているものがある。そして、負荷に供給される出力電流や負荷に印加される出力電圧を検出し、負荷電流、負荷電圧や負荷電力を一定に制御することが行われている。例えば、負荷電力を一定に制御する発光ダイオード駆動装置が提案されている（特許文献１参照。）。この従来技術の発光ダイオード駆動装置は、検出したＤＣ−ＤＣコンバータの出力電圧および出力電流から消費電力を求め、その消費電力が所定の許容範囲内に収まるようにＤＣ−ＤＣコンバータの出力を調整する制御回路部を備えているものである。
【０００３】
また、発光ダイオード（負荷）に流れる電流を検出し、当該電流に応じてスイッチング素子を制御する照明用低圧電源回路が提案されている（特許文献２参照。）。この従来技術の照明用低圧電源回路は、発光ダイオードに流れる電流が抵抗により検出され、Ｖ−Ｉ変換回路で電流に変換された後、フォトカプラを通じて力率改善回路に帰還電圧としてフィードバックされて、力率改善回路によりスイッチング素子が制御されるものである。
【特許文献１】特開２００６−２１０８３５号公報（第４頁、第１図）
【特許文献２】特開２００７−８０７７１号公報（第８−９頁、第１図）
【発明の開示】
【発明が解決しようとする課題】
【０００４】
スイッチング素子を制御する制御回路は、絶縁トランスの一次巻線側に設けられている。そして、例えば照明器具においては、特許文献２に示すように、光源としての発光ダイオードなどの負荷側を入力電源側と絶縁するものがある。この場合、検出した負荷電流（出力電流）や負荷電圧（出力電圧）は、フォトカプラなどにより絶縁されて制御回路に入力される。すなわち、負荷側を入力電源側と絶縁する直流電源装置は、検出した出力電流や出力電圧が制御回路に直接的に入力されなく、フォトカプラなどの絶縁素子や絶縁回路を設けるので、部品点数が多くなり、制御構成が複雑となって、大型化し、コストアップするという欠点を有する。
【０００５】
本発明は、スイッチング素子の制御構成が簡素な絶縁型の直流電源装置およびこの直流電源装置により光源としての発光ダイオードが点灯される照明器具を提供することを目的とする。
【課題を解決するための手段】
【０００６】
請求項１に記載の直流電源装置の発明は、直流電源回路と；絶縁トランス、この絶縁トランスの一次巻線側にスイッチング電流を流す少なくとも１個以上のスイッチング素子および前記絶縁トランスの二次巻線間に接続された整流平滑回路を有し、前記スイッチング素子のオンオフ動作により前記直流電源回路の出力電圧を所望の直流電圧に変換して前記整流平滑回路の出力間に出力するＤＣ−ＤＣ変換回路と；このＤＣ−ＤＣ変換回路のスイッチング素子の両端間電圧またはスイッチング素子に流れるスイッチング電流を検出する検出回路と；この検出回路が検出した前記両端間電圧または前記スイッチング電流に応じて、前記ＤＣ−ＤＣ変換回路が所望の直流電圧を出力するように前記スイッチング素子のオンオフ動作を制御する制御手段と；を具備していることを特徴とする。
本発明および以下の各発明において、特に言及しない限り、各構成は以下による。
【０００７】
スイッチング素子は、例えばバイポーラトランジスタや電界効果トランジスタなどからなり、ＤＣ−ＤＣ変換回路の整流平滑回路の出力間に所望の直流電圧が出力するようにオンオフ制御される。
「所望の直流電圧」とは、負荷に印加する定電圧または負荷に流れる電流が定電流となるように可変される電圧を意味する。
【０００８】
所望の直流電圧と、スイッチング素子の両端間電圧またはスイッチング素子に流れる電流とは、それぞれ前もって対応付けられており、制御手段は、当該対応付けに基づいてスイッチング素子のオンオフ動作を制御する。
【０００９】
本発明によれば、制御手段は、検出回路が検出したスイッチング素子の両端間電圧またはスイッチング素子に流れるスイッチング電流に応じてスイッチング素子のオンオフ動作を制御し、ＤＣ−ＤＣ変換回路の整流平滑回路の出力間には、所望の直流電圧が出力される。そして、整流平滑回路の出力間に接続される負荷に所望の定電圧が印加され、または負荷に所望の定電流が供給される。
【００１０】
請求項２に記載の直流電源装置の発明は、請求項１記載の直流電源装置において、制御手段は、前記スイッチング素子のオンオフ動作を制御する制御回路部と、前記検出回路が検出した前記スイッチング素子の両端間電圧または前記スイッチング素子に流れるスイッチング電流に応じて、前記制御回路部から電流を引き抜く電流引抜回路部または前記制御回路部に電流を供給する電流供給回路部とを有して構成され、前記制御回路部は、前記電流引抜回路部から引き抜かれた電流または前記電流供給回路部から供給された電流に応じて前記スイッチング素子を制御するとともに、前記スイッチング素子と集積回路にチップ形成されていることを特徴とする。
【００１１】
本発明によれば、制御手段が制御回路部と電流引抜回路部または電流供給回路部とを有して構成され、制御手段の制御回路部とＤＣ−ＤＣ変換回路のスイッチング素子が集積回路にチップ形成されることにより、回路部品の部品点数が少なくなって、直流電源装置が小型化される。
【００１２】
請求項３に記載の照明器具の発明は、請求項１または２記載の直流電源装置と；この直流電源装置の整流平滑回路の出力間に接続された発光ダイオードと；この発光ダイオードを配設している器具本体と；を具備していることを特徴とする。
発光ダイオードは、１個であっても複数個であってもよい。
器具本体と直流電源装置は、別体であってもよく、器具本体が直流電源装置を配設していてもよい。
本発明によれば、光源としての発光ダイオードに所望の定電圧を印加可能な照明器具または所望の定電流を供給可能な照明器具が提供される。
【発明の効果】
【００１３】
請求項１の発明によれば、ＤＣ−ＤＣ変換回路のスイッチング素子の両端間電圧またはスイッチング素子に流れるスイッチング電流が検出され、当該両端間電圧またはスイッチング電流に応じてスイッチング素子のオンオフ動作が制御されるので、検出回路および制御手段の部品点数が少なく、スイッチング素子の制御構成が簡素化されて、この結果、直流電源装置を小型化することができ、直流電源装置のコスト低減を図ることができる。
【００１４】
請求項２の発明によれば、制御手段の制御回路部およびＤＣ−ＤＣ変換回路のスイッチング素子が集積回路にチップ形成されるので、回路基板での電子部品などの実装スペースが小さくなり、この結果、直流電源装置をより小型化することができる。
【００１５】
請求項３の発明によれば、請求項１または２記載の直流電源回路により発光ダイオードが点灯されるので、小型化が可能であって所望の光出力が得られる照明器具を提供することができる。
【発明を実施するための最良の形態】
【００１６】
以下、本発明の一実施の形態について図面を参照して説明する。まず、本発明の第１の実施形態について説明する。
図１は、本発明の第１の実施形態を示す直流電源装置の概略回路図である。
【００１７】
直流電源装置１は、直流電源回路２、ＤＣ−ＤＣ変換回路３、検出回路としての電圧検出回路４および制御手段としての制御回路５を有して構成されている。そして、負荷として発光ダイオード６を点灯させるＬＥＤ点灯装置に形成されている。
【００１８】
直流電源回路２は、整流器７および平滑用コンデンサＣ１を有して形成されている。そして、整流器７の入力端子は、ヒューズＦ１、ノイズフィルタ回路８および突入電流防止用の抵抗Ｒ１を介して雌コネクタ９に接続されている。ノイズフィルタ回路８は、コンデンサＣ２、バリスタＺ１およびトランスＴ１により形成されている。雌コネクタ９には、商用交流電源Ｖｓに接続されている電源ケーブル１０に接続された雄コネクタ１１が接続されている。そして、整流器７の出力端子間に平滑用コンデンサＣ１を接続している。平滑用コンデンサＣ１の低電位側は、コンデンサＣ３を介してアースＥに接続されている。直流電源回路２は、商用交流電源Ｖｓからの交流電圧を直流電圧に変換して出力する。
【００１９】
ＤＣ−ＤＣ変換回路３は、絶縁トランスＴ２、スイッチング素子Ｑ１および整流平滑回路１２を有して構成されている。絶縁トランスＴ２は、直流電源回路２の出力電圧（平滑用コンデンサＣ１の両端間電圧）を変成して出力する。そして、絶縁トランスＴ２の一次巻線Ｔ２ａの両端間には、スナバ回路１３が接続されている。スナバ回路１３は、ダイオードＤ１、抵抗Ｒ２およびコンデンサＣ４を有して形成されている。また、絶縁トランスＴ２の一次巻線Ｔ２ａの高電位側および二次巻線Ｔ２ｂの低電位側の間には、結合コンデンサＣ５，Ｃ６が接続されている。
【００２０】
スイッチング素子Ｑ１は、電界効果トランジスタからなり、絶縁トランスＴ２の一次巻線Ｔ２ａと直列的に接続されて、直流電源回路２の出力間（平滑用コンデンサＣ１の両端間）に接続されている。スイッチング素子Ｑ１のゲート（制御端子）は、制御回路５に接続されている。
【００２１】
整流平滑回路１２は、絶縁トランスＴ２の二次巻線Ｔ２ｂの両端間に接続されている。そして、整流平滑回路１２は、整流用のダイオードＤ２および平滑用コンデンサＣ７を有して形成され、絶縁トランスＴ２の二次巻線Ｔ２ｂの両端間に発生した電圧を所望の直流電圧に整流平滑している。
【００２２】
平滑用コンデンサＣ７の両端は、ケーブル１４により雌コネクタ１５に接続されている。こうして、ＤＣ−ＤＣ変換回路３は、スイッチング素子Ｑ１のオンオフ動作により、直流電源回路２の出力電圧を所望の直流電圧に変換して、整流平滑回路１２の出力間である雌コネクタ１５の端子１５ａ，１５ｂ間に出力している。
【００２３】
電圧検出回路４は、コンデンサＣ８，Ｃ９の直列回路からなり、スイッチング素子Ｑ１の両端間、すなわち電界効果トランジスタのドレイン、ソースの間に接続されている。スイッチング素子Ｑ１は、高周波数でオンオフ制御されて、高周波電流が流れるので、コンデンサＣ８，Ｃ９は、スイッチング素子Ｑ１の両端間電圧（ドレイン、ソース間電圧）を検出することができる。
【００２４】
制御回路５は、電流引抜回路部１６および制御回路部１７に構成されている。電流引抜回路１６は、電圧検出回路４のコンデンサＣ９の両端間に直列接続された抵抗Ｒ３，Ｒ４、抵抗Ｒ４の両端間に接続されたコンデンサＣ８、コンデンサＣ８の両端間に直列的に接続されたダイオードＤ３およびＮ形トランジスタＴｒ１を有して形成されている。Ｎ形トランジスタＴｒ１のコレクタは、制御回路部１７に接続されている。
【００２５】
電圧検出回路４のコンデンサＣ９の両端間電圧は、抵抗Ｒ３，Ｒ４により分圧される。そして、抵抗Ｒ４の両端間電圧は、コンデンサＣ８により平均化され、ダイオードＤ３を介してＮ形トランジスタＴｒ１のベース、エミッタ間に印加される。Ｎ形トランジスタＴｒ１のコレクタ側からエミッタ側には、当該両端間電圧に応じた電流が制御回路部１７から引き抜かれて流れる。すなわち、電流引抜回路１６は、電圧検出回路４が検出したスイッチング素子Ｑ１の両端間電圧に応じて、制御回路部１７から電流を引き抜くように形成されている。
【００２６】
制御回路部１７は、コンデンサＣ９により動作電源が供給されて動作し、電流引抜回路１６から引き抜かれた電流に応じて、スイッチング素子Ｑ１のオンオフ動作を制御するように形成されている。引き抜かれる電流値と、スイッチング素子Ｑ１のオンデューティやオンオフ周波数とは、前もって設定されている。そして、制御回路部１７は、引き抜かれている電流値に応じて、負荷である発光ダイオード６に流れる電流が定電流となる所望の直流電圧を出力するように、スイッチング素子Ｑ１のオンオフ動作を制御する。
【００２７】
そして、制御回路部１７は、スイッチング素子Ｑ１と集積回路化され、ＩＣチップ１８に形成されている。ＩＣチップ１８は、そのＤ端子およびＳ端子にスイッチング素子Ｑ１のドレイン、ソースをそれぞれ接続し、ＢＰ端子にコンデンサＣ９を接続し、ＥＮ／ＵＶ端子にＮ形トランジスタＴｒ１のコレクタ側を接続している。
【００２８】
負荷である発光ダイオード６は、図示しない基板に複数個が直列接続されたＬＥＤ回路１９に形成されている。このＬＥＤ回路１９は、雄コネクタ２０を有するケーブル２１に接続されている。そして、雄コネクタ２０が雌コネクタ１５に接続されることにより、ＬＥＤ回路１９は、ＤＣ−ＤＣ変換回路３の出力間（整流平滑回路１２の出力間）に接続されている。発光ダイオード６は、照明光として利用される可視光（例えば白色光）を放射するように形成されている。
次に、本発明の第１の実施形態の作用について述べる。
【００２９】
商用交流電源Ｖｓが投入されると、制御回路５が動作し、この制御回路５の制御回路部１７がスイッチング素子Ｑ１を所定のオンデューティおよびオンオフ周波数でオンオフ制御する。これにより、ＤＣ−ＤＣ変換回路３の絶縁トランスＴ２の一次巻線Ｔ２ａにスイッチング電流が流れ、このスイッチング電流は、二次巻線Ｔ２ｂに誘起されて、整流平滑回路１２により整流平滑される。そして、整流平滑回路１２の出力間である雌コネクタ１５の端子１５ａ，１５ｂ間に所定の直流電圧が出力される。
【００３０】
ＬＥＤ回路１９の両端間には、雄コネクタ２０およびケーブル２１を介して所定の直流電圧が印加される。個々の発光ダイオード６は、所定の電流が流れて点灯（発光）し、可視光（照明光）を放射する。
【００３１】
そして、絶縁トランスＴ２の一次巻線Ｔ２ａに流れるスイッチング電流は、スイッチング素子Ｑ１に流れる。スイッチング素子Ｑ１は、内部抵抗を有するので、その両端間（ドレイン、ソース間）にスイッチング電流に応じた電圧が発生する。このスイッチング素子Ｑ１の両端間電圧は、コンデンサＣ８，Ｃ９の直列回路からなる電圧検出回路４により検出される。
【００３２】
制御回路５の電流引抜回路１６は、当該検出されたコンデンサＣ９の両端間電圧に応じて、制御回路部１７から電流を引き抜く。制御回路部１７は、引き抜かれている電流値に応じてスイッチング素子Ｑ１のオンデューティやオンオフ周波数を制御する。これにより、絶縁トランスＴ２の一次巻線Ｔ２ａに流れるスイッチング電流が変化し、ＤＣ−ＤＣ変換回路３の整流平滑回路１２の出力間（雌コネクタ１５の端子１５ａ，１５ｂ間）に、発光ダイオード６に定電流が流れる所望の直流電圧が出力するようになる。発光ダイオード６は、定電流が流れることにより、安定した可視光（照明光）を放射する。
【００３３】
このように、絶縁型の直流電源装置１は、ＤＣ−ＤＣ変換回路３のスイッチング素子Ｑ１の両端間電圧を電圧検出回路４により検出し、検出した両端間電圧に応じてＤＣ−ＤＣ変換回路３が所望の直流電圧を出力するように、制御回路５がスイッチング素子Ｑ１のオンオフ動作を制御するように構成されているので、ＤＣ−ＤＣ変換回路３の出力電圧やＬＥＤ回路１９の両端間電圧を検出し、当該出力電圧や両端間電圧をフォトカプラなどの絶縁素子や絶縁回路を用いて制御回路５に入力する場合に比べて、制御回路５の制御構成を簡素にすることができ、回路基板に実装する部品点数を削減することができる。したがって、回路基板が小形化して、直流電源装置１を小型化することができるとともに、コスト低減を図ることができる。
【００３４】
また、ＤＣ−ＤＣ変換回路３のスイッチング素子Ｑ１および制御回路５の制御回路部１７は、ＩＣチップ１８として集積回路にチップ形成されているので、回路基板での電子部品などの実装スペースが小さくなり、これにより、直流電源装置１をより小型化することができる。
【００３５】
なお、ＤＣ−ＤＣ変換回路３は、絶縁トランスＴ２および１個のスイッチング素子Ｑ１を用いて構成したが、これに限定されるものではなく、ハーフブリッジ形など、２個以上のスイッチング素子を用いて構成してもよく、直流電源回路２の出力電圧をスイッチング素子のオンオフ動作により所望の直流電圧に変換して出力するように構成されていればよい。
【００３６】
また、制御回路５の制御回路部１７は、ＤＣ−ＤＣ変換回路３の整流平滑回路１２の出力間に所望の定電圧が出力するように、電流引抜回路１６から引き抜かれる電流値に応じてスイッチング素子Ｑ１のオンオフ動作を制御するように構成してもよい。
【００３７】
また、制御回路５は、電流引抜回路１６に代えて、制御回路部１７に電流を供給する電流供給回路を備え、制御回路部１７は、電流供給回路から供給された電流に応じてＤＣ−ＤＣ変換回路３が所望の直流電圧を出力するようにスイッチング素子Ｑ１のオンオフ動作を制御するように形成されてもよい。
【００３８】
また、直流電源装置１は、負荷として発光ダイオード６を点灯制御するように形成したが、これに限らず、制御機器、モータやヒータなどの電気機器を制御するものであってもよい。
次に、本発明の第２の実施形態について説明する。
図２は、本発明の第２の実施形態を示す直流電源装置の概略回路図である。なお、図１と同一部分には、同一符号を付して説明は省略する。
【００３９】
図２に示す直流電源装置２２は、図１に示す直流電源装置１において、電圧検出回路４に代えて、検出回路としての電流検出回路２３が設けられ、さらに電流引抜回路１６に代えて電流引抜回路２４を設けて制御回路２５を構成したものである。
【００４０】
電流検出回路２３は、抵抗Ｒ５により形成されている。電流引抜回路２４は、抵抗Ｒ６、コンデンサＣ１０およびＮ形トランジスタＴｒ１を有して形成されている。そして、抵抗Ｒ５の両端間は、抵抗Ｒ６を介してコンデンサＣ１０の両端間に接続されている。コンデンサＣ１０の両端間は、Ｎ形トランジスタＴｒ１のベース、エミッタ間に接続されている。Ｎ形トランジスタＴｒ１のコレクタは、ＩＣチップ１８のＥＮ／ＵＶ端子に接続されて、制御回路部１７に接続されている。
【００４１】
制御回路２５により、ＤＣ−ＤＣ変換回路３のスイッチング素子Ｑ１がオンオフ制御されると、直流電源回路２からの電流が絶縁トランスＴ２の一次巻線Ｔ２ａにスイッチング電流として流れる。このスイッチング電流は、スイッチング素子Ｑ１に流れ、さらに電流検出回路２３の抵抗Ｒ５に流れて、抵抗Ｒ５の両端間電圧に変換される。
【００４２】
抵抗Ｒ５の両端間電圧は、コンデンサＣ１０により平均化されて、Ｎ形トランジスタＴｒ１のベース、エミッタ間に印加される。Ｎ形トランジスタＴｒ１は、抵抗Ｒ５の両端間電圧に応じて、すなわち、スイッチング素子Ｑ１に流れる電流に応じて制御回路部１７から電流を引き抜く。
【００４３】
制御回路部１７は、電流引抜開路２４により引き抜かれている電流値に応じてスイッチング素子Ｑ１のオンデューティやオンオフ周波数を制御する。ここで、引き抜かれる電流値と、スイッチング素子Ｑ１のオンデューティやオンオフ周波数とは、前もって設定されている。これにより、絶縁トランスＴ２の一次巻線Ｔ２ａに流れるスイッチング電流が変化し、ＤＣ−ＤＣ変換回路３の整流平滑回路１２の出力間に、発光ダイオード６に定電流が流れる所望の直流電圧が出力するようになる。
【００４４】
このように、絶縁型の直流電源装置２２は、スイッチング素子Ｑ１に流れるスイッチング電流を電流検出回路２３により検出し、検出したスイッチング電流に応じてＤＣ−ＤＣ変換回路３が所望の直流電圧を出力するように、制御回路２５がスイッチング素子Ｑ１のオンオフ動作を制御するように構成されているので、制御回路２５の制御構成を簡素にすることができ、回路基板に実装する部品点数を削減することができる。したがって、回路基板が小形化して、直流電源装置２２を小型化することができるとともに、コスト低減を図ることができる。
次に、本発明の第３の実施形態について述べる。
【００４５】
図３は、本発明の第３の実施形態を示す照明器具の概略斜視図、図４は、同じく照明器具の一部切り欠き概略側面図である。なお、図１と同一部分には、同一符号を付して説明は省略する。
【００４６】
図３に示す照明器具２６は、天井面等に埋設されるダウンライトであり、略円筒状の器具本体２７の下端側に円形の化粧枠２８が設けられ、この化粧枠２８に透光性カバー２９が配設されている。そして、器具本体２７は、左右両側に器具本体２７を天井等に固定するための一対の取付けばね３０，３０を取り付けている。
【００４７】
また、器具本体２７は、図４に示すように、下端側内部にＬＥＤ回路１９（発光ダイオード６）を配設しているＬＥＤモジュール３１および反射板３２を配設している。また、器具本体２７の内部には、図１に示す直流電源装置１が電源ユニット３３として配設されている。そして、器具本体２７の上面側には、商用交流電源Ｖｓからの図示しない電源ケーブル１０やアース線を接続する端子台３４が配設されている。
【００４８】
照明器具２６は、図１に示す直流電源回路１を具備し、光源である発光ダイオード６を定電流で点灯させるので、小型化が可能であって、所望の安定した光出力で照明することができる。
【図面の簡単な説明】
【００４９】
【図１】本発明の第１の実施形態を示すＬＥＤ点灯装置の概略回路図。
【図２】本発明の第２の実施形態を示すＬＥＤ点灯装置の概略回路図。
【図３】本発明の第３の実施形態を示す照明器具の概略斜視図。
【図４】同じく、照明器具の一部切り欠き概略側面図。
【符号の説明】
【００５０】
１，２２…直流電源装置
２…直流電源回路
３…ＤＣ−ＤＣ変換回路
４…検出回路としての電圧検出回路
５，２５…制御手段としての制御回路
６…発光ダイオード
１２…整流平滑回路
１６，２４…電流引抜回路部
１７…制御回路部
２３…検出回路としての電流検出回路
２６…照明器具
２７…器具本体
Ｔ１…絶縁トランス
Ｑ１…スイッチング素子
【図１】
2010110157.tif 000003
【図２】
2010110157.tif 000004
【図３】
2010110157.tif 000005
【図４】
2010110157.tif 000006